【手続補正書】
【提出日】平成30年6月28日(2018.6.28)
【手続補正１】
【補正対象書類名】明細書
【補正対象項目名】００６６
【補正方法】変更
【補正の内容】
【００６６】
本明細書に引用される特許、特許文献、及び刊行物の完全な開示内容は、それぞれが個々に組み込まれているかのように、その全体が参照により組み込まれる。本発明の範囲及び趣旨から逸脱することなく、本発明に対する様々な修正及び変更が、当業者には明らかとなるであろう。本発明は、本明細書に記載された例示的な実施形態及び実施例によって過度に限定されることを意図するものではなく、そのような実施例及び実施形態は、例としてのみ提示されるものであり、本発明の範囲は、以下のように本明細書に記載される、請求項によってのみ限定されることを意図するものである点を理解されたい。本発明の実施態様の一部を以下の［項目１］−［項目２０］に記載する。
［項目１］
歯科矯正装置であって、
歯牙構造に接合するための歯対向表面を有する、基部と、
前記基部から外向きに延在する本体部であって、前記本体部が、顔面側壁、舌側壁、咬合側壁、及び歯肉側壁を含み、前記壁が、ワイヤの受容のための、近心−遠心方向で延在する通路を画定し、前記通路が、近心区画及び遠心区画を含む、本体部と、
を備え、
前記近心区画が、入口と、前記入り口から前記遠心区画に向けてテーパ状の、少なくとも２つの凸状壁部分とを含み、前記凸状壁部分が、連続的湾曲を有する区画を含む、
歯科矯正装置。
［項目２］
前記近心区画が、３つの凸状壁部分を含む、項目１に記載の歯科矯正装置。
［項目３］
前記咬合側壁、前記歯肉側壁、及び前記顔面側壁が、それぞれ凸状壁部分を含む、項目２に記載の歯科矯正装置。
［項目４］
前記舌側壁上に、凸状壁部分を更に備える、項目３に記載の歯科矯正装置。
［項目５］
前記凸状壁部分が、前記入口と前記遠心区画との間に、連続湾曲テーパを提示する、項目１〜４に記載の歯科矯正装置。
［項目６］
前記凸状壁部分のうちの少なくとも１つが、複合湾曲を含む、項目１〜５に記載の歯科矯正装置。
［項目７］
少なくとも１つの凸状壁部分が、前記入口と前記遠心区画との間に、実質的に平面状のランド部を含む、項目１〜４に記載の歯科矯正装置。
［項目８］
前記基部が、前記本体部の下に存在する中央部分と、前記中央部分から近心方向又は遠心方向で離間配置され、前記中央部分に対して回転している、少なくとも１つのウィング部とを含み、前記中央部分が、第１の曲率半径を含み、前記ウィング部が、前記第１の半径とは異なる第２の曲率半径を含むことにより、前記基部が、概して咬合側−歯肉側軸線に沿って見た場合、複合的な近心遠心湾曲を呈する、項目１に記載の歯科矯正装置。
［項目９］
近心ウィング部及び遠心ウィング部を含み、前記近心ウィング部及び前記遠心ウィング部が、それぞれ前記第２の曲率半径を含む、項目８に記載のバッカルチューブ装置。
［項目１０］
前記ウィング部が、複合湾曲の線で前記中央部分に対して回転しており、前記線が、概して咬合側−歯肉側方向で、前記基部にわたって延在する、項目８に記載のバッカルチューブ装置。
［項目１１］
前記基部が、近心−遠心長さ、及び咬合側−歯肉側幅を含み、前記複合輪郭の線が、前記基部の前記咬合側−歯肉側の全幅にわたって延在する、項目１０に記載のバッカルチューブ装置。
［項目１２］
バッカルチューブ装置であって、
基部から外向きに延在する本体部であって、近心−遠心方向で延在する通路を画定する、第１の壁を含む、本体部と、
歯牙構造に接合するための歯対向表面を有し、前記本体部の下に存在する中央部分、及び、前記中央部分から近心方向若しくは遠心方向で離間配置され、前記中央部分に対して回転している、少なくとも１つのウィング部を含む、基部と、
を含み、前記中央部分が、第１の曲率半径を含み、前記ウィング部が、前記第１の半径とは異なる第２の曲率半径を含むことにより、前記基部が、概して咬合側−歯肉側軸線に沿って見た場合、複合的な近心遠心湾曲を呈する、
バッカルチューブ装置。
［項目１３］
前記中央部分が、前記基部の咬合側縁部に隣接する陥凹を含む、項目１２に記載のバッカルチューブ装置。
［項目１４］
近心ウィング部及び遠心ウィング部を含み、前記近心ウィング部及び前記遠心ウィング部が、それぞれ前記第２の曲率半径を含む、項目１２に記載のバッカルチューブ装置。
［項目１５］
近心ウィング部及び遠心ウィング部を含み、前記近心ウィング部が、第２の曲率半径を含み、前記遠心ウィング部が、第３の曲率半径を含む、項目１２に記載のバッカルチューブ装置。
［項目１６］
前記ウィング部が、複合湾曲の線で前記中央部分に対して回転しており、前記線が、概して咬合側−歯肉側方向で、前記基部にわたって延在する、項目１２に記載のバッカルチューブ装置。
［項目１７］
近心の複合湾曲の線で前記中央部分に対して回転している、近心ウィング部と、遠心の複合湾曲の線で前記中央部分に対して回転している、遠心ウィング部とを含み、前記近心の複合湾曲の線及び前記遠心の複合湾曲の線が、前記基部の咬合側歯肉側の全幅にわたって延在する、項目１２に記載のバッカルチューブ装置。
［項目１８］
基部が、咬合側縁部及び歯肉側縁部を含み、前記近心の複合湾曲の線及び前記遠心の複合湾曲の線が、前記咬合側縁部及び前記歯肉側縁部で、互いに離間配置される、項目１７に記載のバッカルチューブ装置。
［項目１９］
前記本体部が、顔面側壁、舌側壁、咬合側壁、及び歯肉側壁を含み、前記壁が、ワイヤの受容のための、近心−遠心方向で延在して、近心区画及び遠心区画を含む、通路を画定し、前記近心区画が、漏斗状入口を含み、前記遠心区画に向けてテーパ状の、少なくとも３つの凸状壁部分を含み、前記凸状壁部分が、連続的湾曲を有する、項目１８に記載のバッカルチューブ装置。
［項目２０］
バッカルチューブ装置であって、
歯表面に接合するための基部と、前記基部から外向きに延在する本体部とを含み、前記基部が、トルク面に接する曲面を含み、前記本体部が、外側の頬側表面と、近心−遠心方向で延在するアーチワイヤスロットを画定する、第１の壁部分とを含み、
前記外側の頬側表面が、第２の平面を画定し、前記第２の平面は、前記トルク面に実質的に平行であるが、いずれの壁部分も、前記トルク面に平行ではない、
バッカルチューブ装置。
【手続補正２】
【補正対象書類名】特許請求の範囲
【補正対象項目名】全文
【補正方法】変更
【補正の内容】
【特許請求の範囲】
【請求項１】
歯科矯正装置であって、
歯牙構造に接合するための歯対向表面を有する、基部と、
前記基部から外向きに延在する本体部であって、前記本体部が、顔面側壁、舌側壁、咬合側壁、及び歯肉側壁を含み、前記壁が、ワイヤの受容のための、近心−遠心方向で延在する通路を画定し、前記通路が、近心区画及び遠心区画を含む、本体部と、
を備え、
前記近心区画が、入口と、前記入り口から前記遠心区画に向けてテーパ状の、少なくとも２つの凸状壁部分とを含み、前記凸状壁部分が、連続的湾曲を有する区画を含む、
歯科矯正装置。
【請求項２】
前記近心区画が、３つの凸状壁部分を含む、請求項１に記載の歯科矯正装置。
【請求項３】
前記咬合側壁、前記歯肉側壁、及び前記顔面側壁が、それぞれ凸状壁部分を含む、請求項２に記載の歯科矯正装置。
【請求項４】
前記舌側壁上に、凸状壁部分を更に備える、請求項３に記載の歯科矯正装置。
【請求項５】
前記基部が、前記本体部の下に存在する中央部分と、前記中央部分から近心方向又は遠心方向で離間配置され、前記中央部分に対して回転している、少なくとも１つのウィング部とを含み、前記中央部分が、第１の曲率半径を含み、前記ウィング部が、前記第１の半径とは異なる第２の曲率半径を含むことにより、前記基部が、概して咬合側−歯肉側軸線に沿って見た場合、複合的な近心遠心湾曲を呈する、請求項１に記載の歯科矯正装置。
【請求項６】
近心ウィング部及び遠心ウィング部を含み、前記近心ウィング部及び前記遠心ウィング部が、それぞれ前記第２の曲率半径を含む、請求項５に記載のバッカルチューブ装置。
【請求項７】
前記ウィング部が、複合湾曲の線で前記中央部分に対して回転しており、前記線が、概して咬合側−歯肉側方向で、前記基部にわたって延在し、かつ、前記基部が、近心−遠心長さ、及び咬合側−歯肉側幅を含み、前記複合輪郭の線が、前記基部の前記咬合側−歯肉側の全幅にわたって延在する、請求項５に記載のバッカルチューブ装置。
【請求項８】
バッカルチューブ装置であって、
基部から外向きに延在する本体部であって、近心−遠心方向で延在する通路を画定する、第１の壁を含む、本体部と、
歯牙構造に接合するための歯対向表面を有し、前記本体部の下に存在する中央部分、及び、前記中央部分から近心方向若しくは遠心方向で離間配置され、前記中央部分に対して回転している、少なくとも１つのウィング部を含む、基部と、を含み、
前記中央部分が、第１の曲率半径を含み、前記ウィング部が、前記第１の半径とは異なる第２の曲率半径を含むことにより、前記基部が、概して咬合側−歯肉側軸線に沿って見た場合、複合的な近心遠心湾曲を呈する、
バッカルチューブ装置。
【請求項９】
前記中央部分が、前記基部の咬合側縁部に隣接する陥凹を含む、請求項８に記載のバッカルチューブ装置。
【請求項１０】
近心ウィング部及び遠心ウィング部を含み、前記近心ウィング部及び前記遠心ウィング部が、それぞれ前記第２の曲率半径を含む、請求項８に記載のバッカルチューブ装置。
【請求項１１】
近心ウィング部及び遠心ウィング部を含み、前記近心ウィング部が、第２の曲率半径を含み、前記遠心ウィング部が、第３の曲率半径を含む、請求項８に記載のバッカルチューブ装置。
【請求項１２】
前記ウィング部が、複合湾曲の線で前記中央部分に対して回転しており、前記線が、概して咬合側−歯肉側方向で、前記基部にわたって延在する、請求項８に記載のバッカルチューブ装置。
【請求項１３】
近心の複合湾曲の線で前記中央部分に対して回転している、近心ウィング部と、遠心の複合湾曲の線で前記中央部分に対して回転している、遠心ウィング部とを含み、前記近心の複合湾曲の線及び前記遠心の複合湾曲の線が、前記基部の咬合側歯肉側の全幅にわたって延在する、請求項８に記載のバッカルチューブ装置。
【請求項１４】
基部が、咬合側縁部及び歯肉側縁部を含み、前記近心の複合湾曲の線及び前記遠心の複合湾曲の線が、前記咬合側縁部及び前記歯肉側縁部で、互いに離間配置され、前記本体部が、顔面側壁、舌側壁、咬合側壁、及び歯肉側壁を含み、前記壁が、ワイヤの受容のための、近心−遠心方向で延在して、近心区画及び遠心区画を含む、通路を画定し、前記近心区画が、漏斗状入口を含み、前記遠心区画に向けてテーパ状の、少なくとも３つの凸状壁部分を含み、前記凸状壁部分が、連続的湾曲を有する、請求項１３に記載のバッカルチューブ装置。
【請求項１５】
バッカルチューブ装置であって、
歯表面に接合するための基部と、前記基部から外向きに延在する本体部とを含み、前記基部が、トルク面に接する曲面を含み、前記本体部が、外側の頬側表面と、近心−遠心方向で延在するアーチワイヤスロットを画定する、第１の壁部分とを含み、
前記外側の頬側表面が、第２の平面を画定し、前記第２の平面は、前記トルク面に実質的に平行であるが、いずれの壁部分も、前記トルク面に平行ではない、
バッカルチューブ装置。